(57)【要約】【課題】単一のボードを用いたディスプレイよりも、多くの情報を観者に伝えることの出来る立体ディスプレイの提供。【解決手段】支持部２を有し、支持部により支持される、板状に形成された本体ボード５と、本体ボード５の正面部５ｃに形成された絵表示部５ｄと、本体ボード５にスペーサを介して、所定の間隔ＳＰ、ＳＰ１，ＳＰ２を形成して重ね合わせる形で設けられた、板状に形成された表面ボード１０と、表面ボードの正面部に形成された絵表示部１０ｅと、を有する。本体ボード５と表面ボード１０は、それらを正面方向ＦＦから見た場合に、それらボードの絵表示部５ｄ、１０ｅが連続しているかのように見えるように、その位置関係が決められている。【選択図】    図１
0003106604.tif 000002
【実用新案登録請求の範囲】
【請求項１】
支持部と、
前記支持部に支持される、板状に形成された本体ボードと、
前記本体ボードの正面部に形成された絵表示部と、
前記本体ボードにスペーサを介して前記本体ボードに対して所定の間隔を形成して重ね合わせる形で設けられた、板状に形成された表面ボードと、
前記表面ボードの正面部に形成された絵表示部と、を有し、
前記本体ボートと表面ボードは、それらを正面方向から見た場合に、それらボードの絵表示部が、互いに連続しているかのように見えるように、その位置関係が決められていることを特徴とする、立体ディスプレイ。
【請求項２】
前記本体ボートの絵表示部に、所定の対象物に関して描いた第１の絵を配置し、
前記表面ボードの絵表示部に、前記第１の絵と同一の対象物に関して描いた第２の絵を配置して構成した、請求項１記載の立体ディスプレイ。
【請求項３】
前記第１の絵及び第２の絵により描かれた対象物は、同一の対象物に関する絵であるが、その描かれた内容が異なることを特徴とする、請求項２記載の立体ディスプレイ。
【請求項４】
前記重ね合わされた本体ボードと表示ボードとに対する、視認方向を示す方向サインを設けて構成した、請求項１乃至３の内のいずれか１項記載の立体ディスプレイ。
【請求項５】
前記表面ボードと本体ボードとが形成する間隔は、前記方向サインが示す部分が、他の部分よりも大きくなるように、前記表面ボードが本体ボードに対して設けられている、請求項４記載の立体ディスプレイ。
【請求項６】
前記表面ボードが、前記本体ボードに対して着脱自在に設けられていることを特徴とする、請求項１乃至５の内の何れか１項記載の立体ディスプレイ。
【請求項７】
前記表面ボードは、前記前記本体ボードに対して着脱不能に設けられていることを特徴とする、請求項１乃至５の内の何れか１項記載の立体ディスプレイ。
【請求項８】
前記表面ボード及びスぺーサと前記本体ボード間は、接着されており、前記表面ボード及びスぺーサと前記本体ボード間は、前記表面ボートを前記スペーサと共に剥がそうとすると、前記本体ボードの絵表示部が、スペーサと共に剥がれてしまう程度の強さで接着されていることを特徴とする、請求項１乃至５の内の何れか１項記載の立体ディスプレイ。
【請求項９】
前記表面ボードは、前記本体ボードよりも小さく形成されていることを特徴とする、請求項１乃至８の内の何れか１項記載の立体ディスプレイ。
【請求項１０】
前記表面ボードの絵表示部の輪郭形状は、前記本体ボードの絵表示部の一部を切り取った形状に形成されている、請求項９記載の立体ディスプレイ。
【考案の詳細な説明】
【技術分野】
【０００１】
本考案は、絵が表面にプリントされたボードを立体的に用いた立体ディスプレイに関する。
【背景技術】
【０００２】
従来、この種のボードを用いたディスプレイとしては、絵が表面にプリントされた単一のボードを支持部材で床やテーブルの上に自立させる形で支持する構造のものが知られている。
【考案の開示】
【考案が解決しようとする課題】
【０００３】
しかし、こうした構造のディスプレイでは、単一のボードに表現された絵の内容が、当該ディスプレイを見る者に伝達出来る情報の全てであり、ディスプレイを一度見た者が、再度興味を引かれて見てみるといったことが少なく、すぐ飽きられてしまう不都合があった。
【０００４】
本考案は、上記した事情に鑑み、ディスプレイの構造を工夫することにより、単一のボードを用いたディスプレイよりも、多くの情報を見る者（以下、単に「観者」と称する）に伝えることの出来る、立体ディスプレイを提供することを目的とするものである。
【課題を解決するための手段】
【０００５】
請求項１の考案は、  支持部（２）と、前記支持部（２）に支持される、板状に形成された本体ボード（５）と、前記本体ボード（５）の正面部に形成された絵表示部（５ｄ）と、前記本体ボード（５）にスペーサ（９）を介して前記本体ボード（５）に対して所定の間隔（ＳＰ、ＳＰ１，ＳＰ２）を形成して重ね合わせる形で設けられた、板状に形成された表面ボード（１０）と、前記表面ボード（１０）の正面部（１０ａ）に形成された絵表示部（１０ｅ）と、を有し、前記本体ボート（５）と表面ボード（１０）は、それらを正面方向（ＦＦ）から見た場合に、それらボードの絵表示部（５ｄ，１０ｅ）が、互いに連続しているかのように見えるように、その位置関係が決められていることを特徴として構成される。
【０００６】
請求項２の考案は、前記本体ボート（５）の絵表示部（５ｄ）に、所定の対象物（６）に関して描いた第１の絵（７）を配置し、前記表面ボード（１０）の絵表示部（１０ｅ）に、前記第１の絵（７）と同一の対象物（６）に関して描いた第２の絵（１１）を配置して構成される。
【０００７】
請求項３の考案は、前記第１の絵（７）及び第２の絵（１１）により描かれた対象物（６）は、同一の対象物（６）に関する絵であるが、その描かれた内容が異なることを特徴として構成される。
【０００８】
請求項４の考案は、前記重ね合わされた本体ボードと表示ボードに対する、視認方向を示す方向サイン（１５）を設けて構成される。
【０００９】
請求項５の考案は、前記表面ボード（１０）と本体ボード（５）が形成する間隔（ＳＰ）は、前記方向サイン（１５）が示す部分（１０ｃ）が、他の部分（１０ｄ）よりも大きくなるように、前記表面ボード（１０）が本体ボード（５）に対して設けられて構成される。
【００１０】
請求項６の考案は、前記表面ボード（１０）が、前記本体ボード（５）に対して着脱自在に設けられていることを特徴として構成される。
【００１１】
請求項７の考案は、前記表面ボード（１０）は、前記前記本体ボード（５）に対して着脱不能に設けられていることを特徴として構成される。
【００１２】
請求項８の考案は、前記表面ボード（１０）及びスぺーサ（９）と前記本体ボード（５）間は、接着されており、前記表面ボード及びスぺーサと前記本体ボード間は、前記表面ボートを前記スペーサと共に剥がそうとすると、前記本体ボードの絵表示部（５ｄ）が、スペーサ（９）と共に剥がれてしまう程度の強さで接着されていることを特徴として構成される。
【００１３】
請求項９の考案は、前記表面ボード（１０）は、前記本体ボード（５）よりも小さく形成されていることを特徴として構成される。
【００１４】
請求項１０の考案は、前記表面ボード（１０）の絵表示部（１０ｅ）の輪郭形状は、前記本体ボード（５）の絵表示部（５ｄ）の一部を切り取った形状に形成されて構成される。
【考案の効果】
【００１５】
請求項１の考案によれば、本体ボード（５）と表面ボード（１０）の絵表示部（５ｄ、１０ｅ）に、第１の絵（７）と第２の絵（１１）などの絵をそれぞれ配置することにより、両ボードの間に介在する間隔（ＳＰ、ＳＰ１，ＳＰ２）を介して、異なる情報を観者に与えることが出来、単一のボードを用いたディスプレイよりも、多くの情報を観者に提供することが出来る。
【００１６】
また、本体ボート（５）と表面ボード（１０）は、それらを正面方向（ＦＦ）から見た場合に、それらボードの絵表示部（５ｄ，１０ｅ）が、互いに連続しているかのように見えるように、その位置関係が決められているので、観者が立体ディスプレイ（１）を遠くから見た場合でも、違和感が無く、自然な印象を与えることが出来る。
【００１７】
また、請求項２の考案によれば、本体ボード（５）の絵表示部（５ｄ）に第１の絵（７）を配置し、表面ボード（１０）の絵表示部（１０ｅ）に、第１の絵と同一の対象物（６）に関して描いた第２の絵（１１）を配置することにより、同一の対象物（６）について、第１の絵及び第２の絵（７，１１）により、異なる情報を観者に対して提供することが出来、立体ディスプレイ（１）から提供することの出来る情報量を増大させることが出来、宣伝効果を高めることが出来る。
【００１８】
また、第１の絵（７）及び第２の絵（１１）により描かれた対象物（６）は、同一の対象物（６）に関する絵であるので、観者に対して、対象物（６）に関する秘密を垣間見たような印象を与え、立体ディスプレイ（１）に対する興味をかき立てることが出来る。
【００１９】
また、請求項３の考案によれば、第１の絵（７）及び第２の絵（１１）により描かれた対象物（６）は、同一の対象物（６）に関する絵であるが、その描かれた内容が異なることにより、同一の対象物（６）について、より多くの情報を観者に与えることが可能となる。
【００２０】
また、請求項４の考案によれば、視認方向を示す方向サイン（１５）により、観者に対して覗き込む位置を示唆することが出来るので、観者に対して自然に当該位置から表面ボード（１０）及び本体ボード（５）の間を覗き込む行動を取らせることが出来、観者に抵抗感を与えずに、情報の提供を行うことが出来る。
【００２１】
また、請求項５の考案によれば、表面ボード（１０）と本体ボード（５）が形成する間隔（ＳＰ）は、該方向サイン（１５）が示す部分（１０ｃ）が、他の部分（１０ｄ）よりも大きくなっているので、観者は容易に、本体ボード（５）に配置された第１の絵（７）を認識することが出来る。
【００２２】
また、請求項６の考案によれば、表面ボード（１０）が、前記本体ボード（５）に対して着脱自在に設けられているので、観者は興味に応じて、表面ボード（１０）を取り外して、その下にある本体ボード（５）上の第１の絵（７）を見ることが出来る。
【００２３】
また、請求項７の考案によれば、表面ボード（１０）は、前記前記本体ボード（５）に対して着脱不能に設けられているので、観者が表面ボード（１０）を取り外してしまい、立体ディスプレイとしての機能を損なってしまうような事態の発生を防止することが出来る。
【００２４】
また、請求項８の考案によれば、表面ボード及びスぺーサと前記本体ボード間は、前記表面ボートを前記スペーサと共に剥がそうとすると、前記本体ボードの絵表示部（５ｄ）が、スペーサ（９）と共に剥がれてしまう程度の強さで接着されているので、観者が本体ボード（５）の絵表示部（５ｄ）に配置された絵を見ようとして、興味本位で表面ボード（１０）を剥がそうとしても、本体ボード（５）の絵表示部（５ｄ）が表面ボード（１０）及びスペーサ（９）と共に剥がれてしまうので、本体ボード（５）の絵表示部（５ｄ）が剥がれる前に、絵表示部（５ｄ）が剥がれそうになったところで、観者が表面ボード（１０）を剥がすことを諦めるようにし向けることが出来る。従って、観者による悪戯などにより、立体ディスプレイが毀損される事態を極力防止することが出来る。
【００２５】
また、請求項９の考案によれば、前記表面ボード（１０）は、前記本体ボード（５）よりも小さく形成されているので、遠くから立体ディスプレイ（１）を見た場合に、小さな表面ボード（１０）が本体ボード（５）に対して前方に突出する形となり、より立体感を強調することが出来、観者の興味を強く引きつけることが出来る。
【００２６】
また、請求項１０の考案によれば、表面ボード（１０）の絵表示部（１０ｅ）の輪郭形状は、前記本体ボード（５）の絵表示部（５ｄ）の一部を切り取った形状に形成されているので、表面ボード（１０）の絵表示部（１０ｅ）と本体ボード（５）の絵表示部（５ｄ）は、正面方向（ＦＦ）から見た場合、その輪郭形状の一部が重なり、立体ディスプレイ（１）全体として一体感を持った形態とすることが出来る。
【００２７】
なお、括弧内の番号等は、図面における対応する要素を示す便宜的なものであり、従って、本記述は図面上の記載に限定拘束されるものではない。
【考案を実施するための最良の形態】
【００２８】
以下、図面に基づき、本考案の実施例を説明する。
【００２９】
図１は、立体ディスプレイの一例を示す斜視図、図２は、図１の立体ディスプレイの側面図、図３は、図１の立体ディスプレイから、表面ボードを除去した状態を示す斜視図、図４は、図１の立体ディスプレイを、斜め下からのぞき見た際に見える絵の状態を示す図である。
【００３０】
立体ディスプレイ１は、図１及び図２に示すように、紙、プラスチックなどから形成された支持部２を有しており、支持部２は、床や机などの設置面３に設置されて立体ディスプレイ１全体を床３に対して支持する支持板２ａを有している。支持板支持板２ａの後部、即ち図２右端部には、短冊状に形成された支柱２ｂが支持板２ａと連続する形で、図中上方に屈曲する形で形成されており、支柱２ｂの先端には、接着部２ｃが所定長さＬ１に渡り形成されている。
【００３１】
接着部２ｃには、図２及び図３に示すように、下端部５ｂを支持板２ａ上に当接させた形で設けられた本体ボード５がその背面部５ａを糊などの接着剤を介して接着固定されており、本体ボード５は、支持部２と同様に、紙、プラスチックなどから板状に形成されている。
【００３２】
本体ボード５は、図３に示すように、平板状の素材から全体が樹木を象った形となるように切り抜き形成されており、本体ボード５の背面部５ａに背向した正面部５ｃには正面部５ｃの全面に渡り絵表示部５ｄが形成されている。絵表示部５ｄには、リンゴなどの果実６ａが多数描かれた樹木６が、第１の絵７として印刷、手書きなどにより描画される形で配置されている。
【００３３】
第１の絵７を構成する樹木６は、絵７の下部を構成する根の部分を含んだ幹６ｃと該幹６ｃの上部に表現された枝葉部６ｂを有しており、枝葉部６ｂには前述の多数の果実６ａが配置されている。
【００３４】
また、本体ボード５の一部である枝葉部６ｂが配置された部分、即ち図３で示した本体ボード５の上半分部分のほぼ中央部には、スペーサ９が糊、テープなどの接着着部材を介して貼着されている。スペーサ９は、ほぼ直方体状に形成されており、その厚さは、図２に示すように、図中上端部９ａの厚さｔ１が、図中下端部９ｂの厚さｔ２よりも小さく形成されている。スペーサ９には、図２に示すように、本体ボード５と同様に紙、プラスチックなどから板状に形成された表面ボード１０がスペーサ９の貼着面９ｃを介して糊、テープなどの接着着部材により接着されている。なお、表面ボード１０、スペーサ９及び本体ボード５との間の接着強度は任意に設定することが可能であり、互いに着脱自在な程度の強度から、剥がそうとすると各ボードの下地（絵表示部５ｄ）が表面ボード１０及びスペーサ９と共に剥がれてしまい、第１の絵７が描かれた絵表示部５ｄが毀損してしまう（従って、第１の絵７が毀損する）ほど強力に、従って表面ボード１０が本体ボード５に対して着脱不能に貼着されていても良い。
【００３５】
こうした場合、観者が興味本位に表面ボード１０を剥がそうとしても、本体ボード５の絵表示部５ｄに描かれた第１の絵７が毀損してしまうこととなるので、そうした行為を未然に防止することが出来る。
【００３６】
表面ボード１０の、スペーサ９が貼着される背面部１０ｂの反対側の面である正面部１０ａには絵表示部１０ｅが表面部の全面に渡り形成されており、該絵表示部１０ｅには第２の絵１１としての樹木６の上部、即ち枝葉部６ｂが描かれている。なお、表面ボード１０の絵表示部１０ｅの輪郭形状は、その下方に重ねられた本体ボード５の絵表示部５ｄの輪郭形状と、図１の表面ボード１０ｂの下部１０ｃ部分を除いて、ほぼ同一に形成されている。即ち、表面ボード１０の絵表示部１０ｅの輪郭形状は、本体ボード５の絵表示部５ｄの一部を切り取った形状に形成されている。また、絵表示部１０ｅに描かれた枝葉部６ｂは、その下方に重ねられた本体ボード５の絵表示部５ｄに描かれた樹木６の枝葉部６ｂとその輪郭形状はほぼ同一であるが、第１の絵７に描かれていた樹木６の果実６ａは描かれていない。なお、表面ボード１０には、第１の絵７に描かれた、樹木６の下半分部分、即ち幹６ｃ部分は、図２に示すように、表面ボード１０そのものが無く、当該部分の絵は描かれていない。即ち、表面ボード１０は、本体ボード５よりも、その大きさが小さく形成されている。
【００３７】
また、支持部２の図１前端部２ｄには、サイン表示ボード１２が、紙、プラスチックなどから長方形の板状に形成された形で配置されており、サイン表示ボード１２には、「魔法の木」などの文字からなるサイン１３と、立体ディスプレイ１に対する視認方向を示す方向サイン１５が矢印の形で、ボードを切り抜く形で形成されている。
【００３８】
立体ディスプレイ１は、以上のような構成を有するので、通常の状態では、立体ディスプレイ１の大きさにもよるが、小形のものは机の上など、大形のものは床の上などの設置面３上に、図１に示すように、設置する。すると、観者側からは、本体ボード５、スペーサ９の厚さに対応する間隔ＳＰが形成された形で前方（観者側）に突出した表面ボード１０及びサイン表示ボード１２が目にはいることとなる。
【００３９】
この状態では、観者側からは、本体ボード５の下部、即ち絵表示部５ｄに描かれた第１の絵７である樹木６の幹６ｃ部分と、表面ボード１０の絵表示部１０ｅに描かれた、第２の絵１１である樹木６の枝葉６ｂ部分が目に入り、観者は立体ディスプレイ１を枝葉６ｂの茂った通常の樹木として認識する。この際、観者は、同時に、サイン表示ボード１２の方向サイン１５に気がつき、「これは何だろう」という感じで、当該方向サイン１５が示す方向を、自然にのぞき込む形となる。
【００４０】
すると、観者は、立体ディスプレイ１の表面ボード１０と本体ボード５を、図１下方からのぞき込む形となり、観者は、図４に示すように、表面ボード１０の絵表示部１０ｅに描かれた第２の絵１１と共に、本体ボード５の絵表示部５ｄに描かれた第１の絵７も目に入ることとなる。第１の絵７と第２の絵１１は、既に述べたように、同一の対象物、即ち樹木６の枝葉部６ｂについて描かれたものであるので、その全体的な形状は一致しており、観者は直感的に樹木６の内部をのぞき見たような感覚を覚えることとなる。
【００４１】
立体ディスプレイ１の前方側、即ち表面ボード１０の枝葉部６ｂには、通常の葉の生い茂った状態の枝葉が描かれているが、立体ディスプレイ１の後方側、即ち本体ボード５の枝葉部６ｂには、果実６ａが描かれているので、当該果実６ａが、表面ボード１０と本体ボード５の間から観者に認識されることとなる。すると、観者は、立体ディスプレイ１が表現しているものを、表面ボード１０の第２の絵１１と、本体ボード５の第１の絵７から、外見上は、普通の樹木６であるが、よく見ると、内部に果実６ａがたわわに実った樹木６であることを発見するのである。これにより、観者は、自分が樹木６に関する秘密を知ったような感覚を持つこととなり、立体ディスプレイ１に対する興味を大いにそそられることとなる。
【００４２】
このように、立体ディスプレイ１は、通常の樹木６の姿と、内部に果実６ａたわわに実らせた樹木６の姿の、同一の対象についての異なる情報を観者に伝達させることが出来、通常の本体ボード５しか持たないディスプレイに比して、多くの情報を観者に伝達することが出来、情報伝達効果が極めて高い。
【００４３】
なお、第２の絵１１が描かれた表面ボード１０と支持部２により設置面３に対して支持された本体ボード５の間には、スペーサ９により間隔ＳＰが形成され、その間隔ＳＰは、スペーサ９の形状により、方向サイン１５により指し示された部分、即ち、図２の場合、表面ボード１０の下部１０ｃと対向する本体ボード５の表面との間隔ＳＰ２は、表面ボード１０の上部１０ｄと対向する本体ボード５の表面との間隔ＳＰ１よりも大きくなるように形成されている。従って、観者は、方向サイン１５により促される形で、当該部分の表面ボード１０と本体ボード５との間を覗き込んだ場合、当該部分が他の部分よりも間隔ＳＰが大きくなるように形成されているので視認性に優れ、本体ボード５の第１の絵７を容易に認識することが出来、更に第２の絵１１との相違も直ちに認識することが出来る。
【００４４】
なお、本体ボード５の絵表示部５ｄ上に描かれる第１の絵７及び表面ボード１０の絵表示部１０ｅ上に描かれる第２の絵１１の対象物としては、図１に示す樹木６に限らず、人物、機械、建物、生き物などどのようなものでもよい。なお、表面ボード１０の第２の絵１１は、表面ボード１０が本体ボード５上にスペーサ９を介して重ねられた場合に、本体ボード５に描かれた第１の絵７と、立体ディスプレイ１の正面方向（本体ボード５の表面部５ｃに対してほぼ直角方向）ＦＦから見た場合に、両者が連続しているかのように見えるように、表面ボード１０と本体ボード５の取り付け位置関係を調整することが望ましい。即ち、表面ボード１０の絵表示部１０ｅは、表面ボード１０が本体ボード５上にスペーサ９を介して重ねられた場合に、本体ボード５の絵表示部５ｄと、立体ディスプレイ１の正面方向（本体ボード５の表面部５ｃに対してほぼ直角方向）ＦＦから見た場合に、両者が互いに連続しているかのように見えるように、表面ボード１０と本体ボード５の取り付け位置関係を調整することが望ましい。例えば、図１の場合、本体ボード５の第１の絵７の樹木６の幹６ｃ部分と、表面ボード１０の樹木６の枝葉部６ｂが、正面方向ＦＦから見た場合、図中上下方向に連続しているかのように見えるように、第２の絵１１が描かれている。即ち、第１の絵７が描く対象としている対象物についての部分的な絵が、第２の絵１１として描かれている。
【００４５】
また、第１の絵７及び第２の絵は、写真、コンピュータグラフィク、漫画、絵画、スケッチその他、対象物を画像として表現したものであればどのようなものでもよい。
【００４６】
更に、スペーサ９の態様も、図３に示すようなブ単一のブロック状のものに限らず、複数のブロック状のもの、複数のピン、板、又は棒状の部材を用いたものなど、どのような構成でもよい。
【００４７】
なお、本体ボード５の第１の絵７は、表面ボード１０が立体ディスプレイ１の正面方向ＦＦにおいて重なるので、表面ボード１０が重なる部分については、第１の絵７が描こうとしている対象物の全てが描かれている必要はなく、方向サイン１５により示される部分以外の他の部分、即ち、図１及び図３における樹木６の上部の部分については、その描画を省略しても良い。しかし、観者の興味を損なわないためには、本体ボード５の第１の絵７は、描こうとする対象物の全体が描かれていた方がよい場合もある。
【００４８】
また、方向サイン１５が指示する、視認方向は、図１に示すように、必ずしも、立体ディスプレイ１の下方から上方に向けたものである必要はなく、立体ディスプレイ１の用途、設置状況、設置目的、第１及び第２の絵に描こうとする対象物、観者に伝えたい情報の内容に応じて、適宜ボードを等を利用して設定することが出来る。
【産業上の利用可能性】
【００４９】
本考案は、販売促進活動などにおいて、商品内容を説明するために用いる立体ディスプレイなどとして利用することが出来る。
【図面の簡単な説明】
【００５０】
【図１】図１は、立体ディスプレイの一例を示す斜視図。
【図２】図２は、図１の立体ディスプレイの側面図。
【図３】図３は、図１の立体ディスプレイから、表面ボードを除去した状態を示す斜視図。
【図４】図４は、図１の立体ディスプレイを、斜め下からのぞき見た際に見える絵の状態を示す図。
【符号の説明】
【００５１】
２……支持部
２ａ……支持板
５……本体ボード
５ｃ……正面部
５ｄ、１０ｅ……絵表示部
６……対象物（樹木）
７……第１の絵
９……スペーサ
１０……表面ボード
１０ｃ……下部
１０ｄ……上部
１１……第２の絵
ＦＦ……正面方向
ＳＰ、ＳＰ１、ＳＰ２……間隔
【図１】
0003106604.tif 000003
【図２】
0003106604.tif 000004
【図３】
0003106604.tif 000005
【図４】
0003106604.tif 000006